(57)【特許請求の範囲】
【請求項１】
映像データ及びオーディオデータが圧縮されて多重化されたトランスポートストリームで送られるディジタル放送を受信するディジタル放送の受信装置において、
上記トランスポートストリームをデコードするデコーダと、
ディジタル信号処理機器と互いにトランスポートストリームをやり取りするためのディジタルインタフェースと、
上記ディジタルインタフェースに接続されているディジタル信号処理機器の台数が接続可能となる上限のＮ台未満か否かを判断し、上記トランスポートストリームをやり取りするために登録されているディジタル信号処理機器の台数がＭ（Ｍ≦Ｎ）台未満か否かを判断する判断手段と、
上記判断結果から上記接続されているディジタル信号処理機器の台数がＮ台未満、且つ上記登録されているディジタル信号処理機器の台数がＭ台未満と判断されると、上記ディジタルインタフェースに接続されるディジタル信号処理機器の識別番号が登録されているか否かを判断し、既に登録されていると判断されると、既に登録されている上記ディジタル信号処理機器の識別番号と該ディジタル信号処理機器の機器名を使用し、未だ登録されていないと判断されると、上記ディジタル信号処理機器の識別番号と該ディジタル信号処理機器の機器名を登録し、上記トランスポートストリームをやり取り可能とする登録手段と、
上記登録されているディジタル信号処理機器のうち、上記ディジタルインタフェースに接続されているディジタル信号処理機器と、接続されていないディジタル信号処理機器とを視覚的に判別できるように、上記登録されているディジタル信号処理機器の機器名を表示手段に一覧表示する表示処理手段と、
上記接続されているディジタル信号処理機器の中からディジタル信号処理機器を選択し、上記登録されているディジタル信号処理機器がＭ台未満のときには、選択された上記ディジタル信号処理機器を追加登録し、上記登録されているディジタル信号処理機器がＭ台のときには、既に登録されている上記ディジタル信号処理機器と変更し、選択された上記ディジタル信号処理機器を変更登録する登録追加／変更手段と
を有するディジタル放送の受信装置。
【請求項２】
上記登録手段は、上記登録されたディジタル信号処理機器が上記ディジタルインタフェースに接続されているか否かに関わらず、上記登録されたディジタル信号処理機器の識別番号と該ディジタル信号処理機器の機器名の登録を維持するようにした請求項１に記載のディジタル放送の受信装置。
【請求項３】
上記登録手段は、上記ディジタル信号処理機器が上記ディジタルインタフェースに接続されるときに、接続される機器が既に登録されているか否かを確認するようにした請求項１に記載のディジタル放送の受信装置。
【請求項４】
上記登録追加／変更手段は、予め登録されている機器のうち、番組録画予約が設定されている機器または接続されている機器の登録の変更を禁止するようにした請求項１に記載のディジタル放送の受信装置。
【請求項５】
上記表示処理回路は、上記登録追加／変更手段により予め登録されている機器のうち、番組録画予約が設定されている機器または接続されている機器に対して、登録の変更行為が行われる場合は所定の警告表示を上記一覧表示中に表示するようにした請求項１に記載のディジタル放送の受信装置。
【請求項６】
上記表示手段は、上記登録されているディジタル信号処理機器の追加登録または登録変更を行う追加登録／登録変更画面を表示するようにした請求項１に記載のディジタル放送の受信装置。
【請求項７】
ディジタル放送受信装置にディジタルインタフェースを介して接続されるディジタル信号処理機器の認識方法において、
上記ディジタルインタフェースに接続されているディジタル信号処理機器の台数が接続可能となる上限のＮ台未満か否かを判断し、映像データ及びオーディオデータが圧縮されて多重化されたトランスポートストリームをやり取りするために登録されているディジタル信号処理機器の台数がＭ（Ｍ≦Ｎ）台未満か否かを判断する判断ステップと、
上記判断結果から上記接続されているディジタル信号処理機器の台数がＮ台未満、且つ上記登録されているディジタル信号処理機器の台数がＭ台未満と判断されると、上記ディジタルインタフェースに接続されるディジタル信号処理機器の識別番号が登録されているか否かを判断し、既に登録されていると判断されると、既に登録されている上記ディジタル信号処理機器の識別番号と該ディジタル信号処理機器の機器名を使用し、未だ登録されていないと判断されると、上記ディジタル信号処理機器の識別番号と該ディジタル信号処理機器の機器名を登録し、上記トランスポートストリームをやり取り可能とする登録ステップと、
上記登録されているディジタル信号処理機器のうち、上記ディジタルインタフェースに接続されているディジタル信号処理機器と、接続されていないディジタル信号処理機器とを視覚的に判別できるように、上記登録されているディジタル信号処理機器の機器名を表示手段に一覧表示する表示処理ステップと、
上記接続されているディジタル信号処理機器の中からディジタル信号処理機器を選択し、上記登録されているディジタル信号処理機器がＭ台未満のときには、選択された上記ディジタル信号処理機器を追加登録し、上記登録されているディジタル信号処理機器がＭ台のときには、既に登録されている上記ディジタル信号処理機器と変更し、選択された上記ディジタル信号処理機器を変更登録する登録追加／変更ステップと
を有するディジタル信号処理機器の認識方法。
【請求項８】
上記登録ステップは、上記登録されたディジタル信号処理機器が上記ディジタルインタフェースに接続されているか否かに関わらず、上記登録されたディジタル信号処理機器の識別番号と該ディジタル信号処理機器の機器名の登録を維持するようにした請求項７に記載のディジタル信号処理機器の認識方法。
【請求項９】
上記登録ステップは、上記ディジタル信号処理機器が上記ディジタルインタフェースに接続されるときに、接続される機器が既に登録されているか否かを確認するようにした請求項７に記載のディジタル信号処理機器の認識方法。
【請求項１０】
上記登録変更ステップは、予め登録されている機器のうち、番組録画予約が設定されている機器または接続されている機器の登録の変更を禁止するようにした請求項７に記載のディジタル信号処理機器の認識方法。
【請求項１１】
上記表示処理ステップは、上記登録追加／変更ステップにより予め登録されている機器のうち、番組録画予約が設定されている機器または接続されている機器に対して、登録の変更行為が行われる場合は所定の警告表示を上記一覧表示中に表示するようにした請求項７に記載のディジタル信号処理機器の認識方法。
【請求項１２】
上記表示手段は、上記登録されているディジタル信号処理機器の追加登録または登録変更を行う追加登録／登録変更画面を表示するようにした請求項７に記載のディジタル信号処理機器の認識方法。
【発明の詳細な説明】
【０００１】
【発明の属する技術分野】
この発明は、例えば、映像データ及びオーディオデータがＭＰＥＧ（Moving Picture Experts Group）２方式のトランスポートストリームで放送される信号を受信し、このトランスポートストリームをＩＥＥＥ（Institute of Electrical Electronic Engineers）１３９４のインターフェースを介してディジタル信号処理機器に送るようにしたディジタル放送の受信装置及びディジタル信号処理機器の認識方法に関する。
【０００２】
【従来の技術】
近年、ディジタルビデオ機器やディジタルオーディオ機器間でビデオデータやオーディオデータを高速で転送するためのインターフェースとして、ＩＥＥＥ１３９４が普及し始めている。ＩＥＥＥ１３９４は、等時（Isochronous ）転送モードと、非同期（Asynchronous）転送モードとがサポートされている。等時転送モードではデータ転送の遅延時間が保証されており、この等時転送モードは、ビデオデータやオーディオデータのような時間的に連続するデータストリームを高速転送するのに好適である。非同期転送モードは、各種のコマンド等の通常のデータを転送するのに好適である。
【０００３】
また、近年、ディジタル衛星放送が普及し始めている。ディジタル衛星放送では、ディジタル映像信号及びオーディオ信号がＭＰＥＧ２方式により圧縮され、パケットストリームにより多重化されて送信される。ディジタル衛星放送を受信する際には、テレビジョン受像機にＩＲＤ(Integrated Receiver Decoder）が接続される。ＩＲＤで所望のプログラムの信号が選択され、ビデオ信号及びオーディオ信号がデコードされる。このＩＲＤの出力がテレビジョン受像機に供給される。
【０００４】
このようなディジタル衛星放送を受信するためのＩＲＤに、ＩＥＥＥ１３９４のインターフェースを設けることが提案されている。ＩＲＤにＩＥＥＥ１３９４のインターフェースを設けると、ＩＲＤと、ディジタルビデオ記録／再生装置やＭＤ記録／再生装置とをＩＥＥＥ１３９４のインターフェースを介して接続し、ディジタル衛星放送の受信システムが構築できる。
【０００５】
【発明が解決しようとする課題】
ＩＥＥＥ１３９４では、データの転送を行なう場合に、ノードのＩＤ番号が付与され、このノードのＩＤ番号により相手方が指定される。ＩＥＥＥ１３９４のバスに割り当て可能なノードＩＤ番号は、「０」から「６３」まであり、そのうち最後のノード番号はブロードキャスト用とされている。したがって、ブロードキャストを使わないとすると、１つのバスに最大６３台の機器を接続できることになる。
【０００６】
上述のように、ＩＥＥＥ１３９４のインターフェースを備えたＩＲＤを用いてディジタル衛星放送の受信システムを構築する場合、ＩＥＥＥ１３９４の規格に則って、最大６３台の機器にノードのＩＤ番号を付与し、最大６３台の機器間でデータを送れるようにすることが考えられる。
【０００７】
ところが、一般的には、ディジタル衛星放送の受信システムにおいて、ＩＥＥＥ１３９４のバスに６３台もの機器が接続されて使用されることは考えにくく、ＩＥＥＥ１３９４のバスに接続される機器の数は５台以内であると考えられる。このため、ＩＥＥＥ１３９４の規格に則って、最大６３台の機器とコネクションを行なえる構成とすると、使い勝手が悪くなる。例えば、録画設定を行なう場合には、記録を行なう機器が選択される。このとき、コネクションが行なえる機器が実際に使用されている機器に比べて多いと、選択表示画面に多数の機器が並び、機器の指定が困難である。
【０００８】
したがって、この発明の目的は、ＩＥＥＥ１３９４のインターフェースに複数の機器が接続されている場合に、操作性が向上されたディジタル放送の受信装置及びディジタル信号処理機器の認識方法を提供することにある。
【０００９】
【課題を解決するための手段】
この発明は、映像データ及びオーディオデータが圧縮されて多重化されたトランスポートストリームで送られるディジタル放送を受信するディジタル放送の受信装置において、トランスポートストリームをデコードするデコーダと、ディジタル信号処理機器と互いにトランスポートストリームをやり取りするためのディジタルインタフェースと、ディジタルインタフェースに接続されているディジタル信号処理機器の台数が接続可能となる上限のＮ台未満か否かを判断し、トランスポートストリームをやり取りするために登録されているディジタル信号処理機器の台数がＭ（Ｍ≦Ｎ）台未満か否かを判断する判断手段と、判断結果から接続されているディジタル信号処理機器の台数がＮ台未満、且つ登録されているディジタル信号処理機器の台数がＭ台未満と判断されると、ディジタルインタフェースに接続されるディジタル信号処理機器の識別番号が登録されているか否かを判断し、既に登録されていると判断されると、既に登録されているディジタル信号処理機器の識別番号と該ディジタル信号処理機器の機器名を使用し、未だ登録されていないと判断されると、ディジタル信号処理機器の識別番号と該ディジタル信号処理機器の機器名を登録し、トランスポートストリームをやり取り可能とする登録手段と、登録されているディジタル信号処理機器のうち、ディジタルインタフェースに接続されているディジタル信号処理機器と、接続されていないディジタル信号処理機器とを視覚的に判別できるように、登録されているディジタル信号処理機器の機器名を表示手段に一覧表示する表示処理手段と、接続されているディジタル信号処理機器の中からディジタル信号処理機器を選択し、登録されているディジタル信号処理機器がＭ台未満のときには、選択されたディジタル信号処理機器を追加登録し、登録されているディジタル信号処理機器がＭ台のときには、既に登録されているディジタル信号処理機器と変更し、選択されたディジタル信号処理機器を変更登録する登録追加／変更手段とを有するディジタル放送の受信装置である。
また、この発明は、ディジタル放送受信装置にディジタルインタフェースを介して接続されるディジタル信号処理機器の認識方法において、ディジタルインタフェースに接続されているディジタル信号処理機器の台数が接続可能となる上限のＮ台未満か否かを判断し、映像データ及びオーディオデータが圧縮されて多重化されたトランスポートストリームをやり取りするために登録されているディジタル信号処理機器の台数がＭ（Ｍ≦Ｎ）台未満か否かを判断する判断ステップと、判断結果から接続されているディジタル信号処理機器の台数がＮ台未満、且つ登録されているディジタル信号処理機器の台数がＭ台未満と判断されると、ディジタルインタフェースに接続されるディジタル信号処理機器の識別番号が登録されているか否かを判断し、既に登録されていると判断されると、既に登録されているディジタル信号処理機器の識別番号と該ディジタル信号処理機器の機器名を使用し、未だ登録されていないと判断されると、ディジタル信号処理機器の識別番号と該ディジタル信号処理機器の機器名を登録し、トランスポートストリームをやり取り可能とする登録ステップと、登録されているディジタル信号処理機器のうち、ディジタルインタフェースに接続されているディジタル信号処理機器と、接続されていないディジタル信号処理機器とを視覚的に判別できるように、登録されているディジタル信号処理機器の機器名を表示手段に一覧表示する表示処理ステップと、接続されているディジタル信号処理機器の中からディジタル信号処理機器を選択し、登録されているディジタル信号処理機器がＭ台未満のときには、選択されたディジタル信号処理機器を追加登録し、登録されているディジタル信号処理機器がＭ台のときには、既に登録されているディジタル信号処理機器と変更し、選択されたディジタル信号処理機器を変更登録する登録追加／変更ステップとを有するディジタル信号処理機器の認識方法である。
【００１０】
ＩＥＥＥ１３９４のインターフェースには、最大６３台の機器が接続できるが、その中から、例えば５台の機器が選択され、この５台の機器にノードＩＤ番号が割り当てられて登録される。このようにすると、機器の選択が容易に行なえる。
【００１１】
【発明の実施の形態】
以下、この発明の実施の形態について図面を参照して説明する。図１において、１はＩＲＤである。ＩＲＤ１は、ディジタル衛星放送の受信信号をデコードし、例えばＮＴＳＣ方式のビデオ信号及びオーディオ信号を形成するものである。ＩＲＤ１のアンテナ端子は、ケーブル２を介して、パラボラアンテナ３に取り付けられている低雑音コンバータ４に接続される。衛星からの電波は、例えば、１２ＧＨｚ帯で送信されてくる。この衛星からの電波は、パラボラアンテナ３で受信され、パラボラアンテナ３に取り付けられた低雑音コンバータ４で、例えば、１ＧＨｚ帯の信号に変換される。
【００１２】
低雑音コンバータ４の出力がケーブル２を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
【００１３】
ＩＲＤ１からのビデオ信号及びオーディオ信号は、ケーブル５を介して、テレビジョン受像機６に供給される。テレビジョン受像機６により、所望の衛星放送のプログラムの受信画面が映出されるとともに、その音声が出力される。
【００１４】
ＩＲＤ１には、ＩＣカード７が装着される。このＩＣカード７に受信情報が格納される。また、ＩＲＤ１は、ケーブル９を介して、電話回線分配器８に接続され、電話回線を介して、課金情報が送られる。
【００１５】
ＩＲＤ１の操作は、リモートコントローラ１１により行なわれる。また、ビデオマウス１０を取り付けると、テレビジョン受像機６に映し出される画面を見ながら、予約番組を設定することができる。
【００１６】
ＩＲＤ１の背面パネルには、図２に示すように、ＩＥＥＥ１３９４の端子２１Ａ及び２１Ｂと、光ディジタル音声出力端子２２と、ＭＤマウス端子２３と、アナログ音声出力端子２４Ａ〜２４Ｄと、ビデオ出力端子２５Ａ及び２５Ｂと、Ｓビデオ出力端子２６Ａ及び２６Ｂと、データ出力高速パラレル端子２７とが設けられる。
【００１７】
ＩＥＥＥ１３９４の端子２１Ａ及び２１Ｂは、ＩＥＥＥ１３９４のインターフェースを使ってデータ転送を行なうためのものである。ＩＥＥＥ１３９４では、等時転送モードと非同期転送モードとがサポートされている。等時転送モードではデータ転送の遅延時間が保証されており、この等時転送モードは、ビデオデータやオーディオデータのような時間的に連続するデータストリームを高速転送できる。非同期転送モードは、各種のコマンド等のデータが転送される。
【００１８】
光ディジタル音声出力端子２２は、ＩＥＣ９５８の光ケーブルを用いて、ディジタル音声信号を出力するものである。この光ディジタル音声出力端子２２は、ＩＥＣ９５８の光ケーブルを備えたディジタルオーデオ機器等を接続するのに用いられる。アナログ音声出力端子２４Ａ〜２４Ｄは、アナログ音声を出力するものである。ビデオ映出力端子２５Ａ及び２５ＢやＳビデオ出力端子２６Ａ及び２６Ｂは、復調されたビデオ信号を出力するものである。
【００１９】
図３は、ＩＲＤ１の構成を示すものである。図１に示したように、例えば１２ＧＨｚ帯の電波で衛星を介して送られてくるディジタル衛星放送の電波は、パラボラアンテナ３で受信され、パラボラアンテナ３に取り付けられた低雑音コンバータ４で、１ＧＨｚ帯の信号に変換される。この低雑音コンバータ４の出力がケーブル２を介してＩＲＤ１のアンテナ端子３１に供給される。アンテナ端子３１からの信号は、チューナ回路３２に供給される。
【００２０】
チューナ回路３２は、受信信号の中から所定の搬送波周波数の信号を選択する周波数選択回路と、ＱＰＳＫ（Quadrature Phase Shift Keying ）復調処理を行なう復調回路と、エラー訂正処理回路を備えている。チューナ回路３２で、制御用ＣＰＵ（Central Processing Unit ）３３からの設定信号に基づい、受信信号の中から所望の搬送波周波数の信号が選択される。この受信信号がＱＰＳＫ（Quadrature Phase Shift Keying ）復調され、更に、誤り訂正処理が施される。
【００２１】
チューナ回路３２の出力は、デスクランブラ３４に供給される。デスクランブラ３４には、受信されたＥＣＭ（Entitlement Control Message ）データ及びＥＭＭ（Entitlement Management Message）データが入力されると共に、ＩＣカードスロット３６に装着されているＩＣカード７に記憶されているデスクランブル用の鍵データが供給される。デスクランブラ３４は、この受信されたＥＣＭデータ及びＥＭＭデータと、ＩＣカード７の鍵データを用いて、ＭＰＥＧトランスポートストリームのデスクランブルを行なう。デスクランブルされたＭＰＥＧ２のトランスポートストリームは、デマルチプレクサ３７に送られる。
【００２２】
デマルチプレクサ３７は、ＣＰＵ２３からの指令に基づいて、デスクランブラ３４からのストリームの中から、所望のパケットを分離するものである。伝送パケットには、ヘッダ部にパケット識別子（ＰＩＤ）が設けられる。デマルチプレクサ３７で、このＰＩＤに基づいて、所望のプログラムの映像パケット及び音声パケットが抽出される。この所望のプログラムの映像パケットは、ＭＰＥＧ２ビデオデコーダ３８に送られ、音声パケットは、ＭＰＥＧオーディオデコーダ３９に送られる。
【００２３】
ＭＰＥＧ２ビデオデコーダ３８は、デマルチプレクサ３７からの映像信号のパケットを受け取り、ＭＰＥＧ２方式のデコード処理を行なって、ビデオデータを形成する。このビデオデータは、ＮＴＳＣ変換回路４０に供給される。ＮＴＳＣ変換回路４０で、ＭＰＥＧビデオデコーダ３８でデコードされたビデオデータがＮＴＳＣ方式のビデオ信号に変換される。
【００２４】
また、ＮＴＳＣ変換回路４０に対して、表示制御回路５１及びコピー禁止制御回路５２が設けられる。表示制御回路５１は、画面上に種々の表示画面を発生させるものである。コピー禁止制御回路５２は、映像の著作権を保護するために、必要に応じてコピー禁止制御信号を発生するものである。
【００２５】
ＮＴＳＣ変換回路４０の出力がアナログビデオ出力端子２５及びＳビデオ出力端子２６に供給される。アナログビデオ出力端子２５からＮＴＳＣ方式のアナログビデオ信号が出力され、Ｓビデオ出力端子２６から、Ｓビデオ信号が出力される。
【００２６】
ＭＰＥＧオーディオデコーダ３９は、デマルチプレクサ３７からの音声パケットを受け取り、ＭＰＥＧ方式の音声デコード処理を行なって、データ圧縮前のオーディオデータを形成する。デコードされたオーディオデータは、ＩＥＣ９５８インターフェース回路５５を介して、ディジタルオーディオ出力端子２２から出力されると共に、Ｄ／Ａコンバータ５３でアナログオーディオ信号に変換された後、アナログオーディオ出力端子２４に供給される。
【００２７】
ＩＲＤ１に対する入力は、入力部４６から与えられる。入力部４６としては、リモートコントローラ１１、ビデオマウスやＭＤマウス１０が用意されている。また、モデム４５が設けられ、モデム４５により、課金情報が電話回線を介して送られる。
【００２８】
受信信号の搬送波周波数の設定は、視聴者が入力したチャンネル設定信号に基づいて行なわれる。所望のプログラムに設定する時には、ＮＩＴ（Network Information Table ）を参照することにより、チューナ回路３２の受信周波数が所定の搬送波周波数に設定される。そして、その搬送波周波数でのチャンネルに関する情報であるＰＡＴ（Program Association Table ）を参照して、所望のチャンネルに関する情報であるＰＭＴ（Program Map Table ）のＰＩＤのパケットが抽出される。このＰＭＴを参照することにより、所望のチャンネルの映像、音声、付加データのパケットのＰＩＤが得られる。
【００２９】
また、ＩＲＤ１には、ＩＥＥＥ１３９４のインターフェース４４が設けられている。デマルチプレクサ３７とＩＥＥＥ１３９４のインターフェース４４との間は、トランスポートストリームや、ＰＣＭオーディオデータを入／出力することができる。
【００３０】
更に、ＩＲＤ１には、高速パラレルデータのインターフェース５６が設けられている。この高速パラレルデータインターフェース５６を介して、トランスポートストリームや、ＰＣＭオーディオデータを入／出力することができる。
【００３１】
上述のように、この発明が適用されたＩＲＤ１には、ＩＥＥＥ１３９４のインターフェース４４が設けられている。このＩＥＥＥ１３９４のインターフェース４４を使って、図４に示すように、ＩＲＤ１に、ディジタル記録可能な他のディジタル機器１５Ａ、１５Ｂ、１５Ｃ、…、例えばディジタルビデオ記録／再生装置やＭＤ記録／再生装置等が接続される。
【００３２】
ＩＥＥＥ１３９４では、ノードＩＤ番号が「０」から「６３」まであり、そのうち、最後のノード番号「６３」はブロアドキャストチャンネルとされている。ノードのＩＤ番号の割り当ては、ＩＥＥＥ１３９４のバスに機器を接続したときに自動的に割り振られる。このとき、バスに接続されている機器のうち、５台までの機器が登録される。この例では、コネクションが張られる機器の台数が５台以内となるように制限されている。
【００３３】
登録されている機器の変更は、図５に示すようなコントロールパネルの表示から、設定ボタン６６を押して、設定変更の画面に移行することにより行なえる。コントロールパネルの表示中には、機器選択表示６１と、ファンクションボタン表示６２と、状態表示６３と、電源ボタン６４と、録画ボタン６５と、設定ボタン６６と、ＩＥＥＥ１３９４入力切り換えボタン６７（ＩＥＥＥ１３９４はｉ．ＬＩＮＣと表示されている）と、スマートファイル実行ボタン６８とが設けられる。機器選択表示６１には、登録されている５台のＩＥＥＥ１３９４の機器名が示され、ＩＥＥＥ１３９４入力切り換えボタン６７により、この５台の機器の中から、所望の機器が選択できる。
【００３４】
コントロールパネルの表示から、設定ボタン６６が押されると、図６に示すような設定画面が表示される。
【００３５】
図６Ａに示すように、設定変更の画面には、登録機器表示７１、接続機器表示７２、決定ボタン７３、リターンボタン７４が表示される。
【００３６】
登録機器表示７１には、ＩＥＥＥ１３９４のノードとしてＩＤ番号が付与されている機器が最大５台表示される。なお、これらの機器の中で、明るく表示されているのは、物理的にバスに接続されているものを意味する。登録されている機器をバスから外すと、登録名の表示が暗くなり、登録されている機器を再びバスに接続すると、登録名の表示が明るくなる。
【００３７】
ＩＥＥＥ１３９４のバスを介してコネクションが張られる５台の機器は、最初に、先着５台の機器が自動的に登録される。既に５台の機器が登録済のときには、６台目以降は登録されない。
【００３８】
ＩＥＥＥ１３９４のバスを介してコネクションが張られる機器を変更したり、除外したりする場合には、接続機器表示部７２のチェック欄７２Ａにチェックマークが付加される。このチェックマークが付加されている機器が登録の対象とされ、チェックマークが付加されていない機器は、登録の対象から除外される。なお、このとき、予約録画が設定されている機器やコネクションが張られている機器は、変更できないようにされている。予約録画が設定されている機器やコネクションが張られている機器を除外してしまうと、予約録画が行なえなくなったり、データが送れなくなるような不具合が発生するためである。
【００３９】
なお、図６Ｂに示すように、予約されている機器には、例えば時計の形の予約マーク７５が表示される。この予約マーク７５が表示されている機器では、チェク欄７２のチェックマークを外すことはできない。
【００４０】
図７は、登録されている機器を変更する場合の処理を示すもので、例えば、Ｄ−ＶＨＳ２の機器を、ＭＤ３の機器に変更する場合を示している。図７Ａに示すように、先ず、カーソルがＤ−ＶＨＳ２の機器の所に移動される。それから決定ボタン７３が押される。この位置で決定ボタン７３が押されると、図７Ｂに示すように、Ｄ−ＶＨＳ２のチェックマークが外れる。それから、新規に登録したい機器の位置にカーソルが移動される。この位置で決定ボタン７３が押される。これにより、図７Ｃに示すように、ＭＤ３の所にチェックマークが付加される。このように、チェックマークを変更して、リターンボタン７４を押して設定画面を終了させると、新たにチェックマークスを付加した機器が登録される。
【００４１】
なお、「ＶＨＳ」、「ＭＤ」等の表記は、機器の種類を示しており、同一の種類の機器が登録されるときには、その後の数字により機器が識別されるようになっている。機器の登録を変更すると、これに応じて、機器の種類を示す表示に続く数字が変更されている。
【００４２】
図８は、上述のような処理を行なうためのフローチャートである。図８は、機器の自動登録処理を示すものである。図８Ａに示すように、機器が接続されたときには、接続された機器の台数が６４台以上かどうかが判断される（ステップＳ１）。接続された機器の台数が６４台以下なら、バスエラーとされ（ステップＳ２）、処理が終了される。ステップＳ１で、バスに接続された機器の台数が６４台以上でなければ、登録された機器は５台未満か否かが判断される（ステップＳ３）。登録された機器の台数が５台未満でなければ、ノードのＩＤ番号と機器名と登録せずに（ステップＳ３）、処理が終了される。
【００４３】
ステップＳ３で、バスに接続された機器の台数が５台未満なら、バスに接続された機器のノードのユニークＩＤ番号がチェックされる（ステップＳ５）。登録している機器に、そのＩＤ番号のものがあるか否かが判断される（ステップＳ６）。
【００４４】
接続された機器のＩＤ番号と同様のＩＤ番号のものが登録されている機器の中になければ、ＩＤ番号と機器名が新たに登録され（ステップＳ７）、その機器名が明るく表示される（ステップＳ８）。
【００４５】
接続された機器のＩＤ番号と同様のＩＤ番号のものが既に登録されている機器の中にあれば、その登録済の機器名が割り当てられ（ステップＳ９）、その機器名が明るく表示される（ステップＳ８）。
【００４６】
図７Ｂに示すように、接続された機器が抜かれたら、機器名が暗く表示される（ステップＳ１０）。
【００４７】
図９は、登録されている機器を変更するときの処理を示すフローチャートである。図９において、機器を選択して決定ボタン７３が押されると（ステップＳ２１）、それまでチェックマークが付いているか否かが判断される（ステップＳ２２）。
【００４８】
それまでチェックマークが付いていなかったら、チェックマークが５台に付いているか否かが判断され（ステップＳ２３）、チェックマークが５台に付いていなければ、その機器にチェックマークが付けられる（ステップＳ２４）。そして、設定画面が終了か否かが判断され（ステップＳ２５）、設定画面が終了していなければ、ステップＳ２１にリターンされる。
【００４９】
ステップＳ２３で、チェックマークが５台に付いていると判断されたら、チェックマークの変更は行なわずに、ステップＳ２５に行き、設定画面が終了か否かが判断され、設定画面が終了したいなければ、ステップＳ２１にリターンされる。
【００５０】
ステップＳ２２で、それまでチェックマークが付いていると判断されたら、番組予約されている機器か否かが判断される（ステップＳ２６）。番組予約されている機器では登録を外せないので、予約された機器であれば、チェックマークの変更は行なわずに、ステップＳ２５に行き、設定画面が終了か否かが判断され、設定画面が終了していなければ、ステップＳ２１にリターンされる。
【００５１】
ステップＳ２６で、予約された機器でないと判断されたら、コネクションが張られている機器か否かが判断される（ステップＳ２７）。コネクションが張られている機器では登録を外せないので、コネクションが張られている機器であれば、チェックマークの変更は行なわずに、ステップＳ２５に行き、設定画面が終了か否かが判断され、設定画面が終了したいなければ、ステップＳ２１にリターンされる。
【００５２】
ステップＳ２７で、コネクションが張られている機器でなければ、バスに機器が６台以上接続されているか否かが判断される（ステップＳ２８）。機器は５台まで登録可能なので、バスに機器が６台以上接続されていなければ、チェックマークの変更は行なわずに、ステップＳ２５に行き、設定画面が終了か否かが判断され、設定画面が終了したいなければ、ステップＳ２１にリターンされる。
【００５３】
ステップＳ２８で、接続されている機器が６台以上のときには、チェックマークが外される。そして、ケーブルが抜かれているか否かが判断される（ステップＳ３０）。ケーブルが抜かれていれば、一覧リストから削除される（ステップＳ３１）。ケーブルが抜かれていなければ、ステップＳ２５に行き、設定画面が終了か否かが判断され、設定画面が終了したいなければ、ステップＳ２１にリターンされる。
【００５４】
以上のような処理により、機器を選択して決定ボタン７３を押すと、それまでチェックマークが付いていれば、チェックマークが外され、チェックマークが付いていなければ、チェックマークが付けられる。このとき、予約されている機器や、コネクションが張られている機器では、チェックマークが外されないように制御される。また、チェックマークが付けられる機器の数は、５台となるように制御される。
【００５５】
ステップＳ２５で、リターンボタン７４が押されると、設定画面が終了し、コントロールパネルに戻る。このとき、チェックマークが５台に付いているか否かが判断される（ステップＳ３２）。チェックマークが５台に付いていれば、チェックマークの５台の機器が登録される（ステップＳ３３）。チェックマークが５台に付いていなければ、直前にチェックされた５台の機器が登録される（ステップＳ３４）。
【００５６】
また、未定義の機器が接続されることに備えて、「６３」のＩＤ番号のブロアドキャストチャンネルが使用できる。このブロアドキャストチャンネルでは、ＭＰＥＧのトランスポートパケットとＰＣＭオーディオデータとが選択できる。未接続時のＩＥＥＥ１３９４のバス出力をＭＰＥＧストリームにすると、ＭＰＥＧのトランスポートストリームがブロアドキャストチャンネルで送信される。未接続時のＩＥＥＥ１３９４のバス出力をＰＣＭオーディオストリームにすると、ＰＣＭオーディオデータがブロアドキャストチャンネルで送信される。
【００５７】
図１０は、ＩＥＥＥ１３９４の初期設定の画面を示すものである。図１０に示すように、初期設定画面では、接続時に相手機器の電源を入れるかどうかの選択表示８１と、接続時に相手機器をＩＥＥＥ１３９４入力にするかどうかの選択表示８２と、未接続時のＩＥＥＥ１３９４のバス出力をＭＰＥＧストリームにするかＰＣＭオーディオストリームにするかの選択表示８３が表示される。選択表示８２で、ＭＰＥＧストリーム側をチェックすると、ブロアドキャストチャンネルでは、ＭＰＥＧのトランスポートストリームが送信されるようになる。ＰＣＭオーディオをチェックすると、ブロアドキャストチャンネルでは、ＰＣＭオーディオデータが送信されるようになる。
【００５８】
このように、ブロアドキャストチャンネルでは、ＭＰＥＧのトランスポートストリームとＰＣＭオーディオとを選択できる。つまり、ＭＰＥＧ方式で圧縮されたビデオデータやオーディオデータ、制御データは、ＭＰＥＧのトランスポートストリームのパケットで送ることができる。また、その他のデータであっても、トランスポートストリームに乗せられるデータは、トランスポートストリームのパケットで送ることができる。また、ＭＤ記録／再生装置のように、ＭＰＥＧ方式とは圧縮方式が異なっているようなデータは、ＰＣＭオーディオデータとして送ることができる。
【００５９】
以上のように、この発明が適用されたシステムでは、ＩＥＥＥ１３９４のバスに接続される機器の台数が５台に制限されている。そして、機器選択表示６１には、登録されている５台の機器名が表示され、入力切り換えボタン６７により、５台の機器の中から、所望の機器を選択できる。また、登録される機器は、設定画面により簡単に変更できる。
【００６０】
なお、上述の例では、登録されるＩＥＥＥ１３９４の機器の台数を５台としているが、勿論、この台数に限定されるものではない。
【００６１】
【発明の効果】
この発明によれば、ＩＥＥＥ１３９４のインターフェースに接続された機器の中から、例えば５台の機器が選択され、この５台の機器にノード識別番号が割り当てられて登録される。このようにすると、コネクションが行なわれている機器の一覧表示に多数の機器が並ぶことがなくなり、機器の選択が容易に行なえる。
【００６２】
また、５台の機器は、インターフェースに物理的に接続されている機器のうち先着のものが自動的に登録される。そして、ユーザ入力により、登録の変更が簡単に行なえる。登録を変更する際に、番組予約が設定されて機器や、コネクションが張られている機器では、登録の変更が禁止される。これにより、登録変更が行なわれても、誤動作が起こることがない。
【図面の簡単な説明】
【図１】この発明が適用されたディジタル衛星放送の受信システムの一例の略線図である。
【図２】この発明が適用されたディジタル衛星放送の受信システムにおけるＩＲＤの背面パネルを示す背面図である。
【図３】この発明が適用されたディジタル衛星放送の受信システムにおけるＩＲＤの構成を示すブロック図である。
【図４】この発明が適用されたディジタル衛星放送の受信システムの説明に用いるブロック図である。
【図５】この発明が適用されたディジタル衛星放送の受信システムにおけるＩＲＤにおけるコントロールパネル表示の説明に用いる略線図である。
【図６】この発明が適用されたディジタル衛星放送の受信システムにおけるＩＲＤにおける設定表示の説明に用いる略線図である。
【図７】この発明が適用されたディジタル衛星放送の受信システムにおけるＩＲＤにおける設定表示の説明に用いる略線図である。
【図８】この発明が適用されたディジタル衛星放送の受信システムにおける機器の登録の説明に用いるフローチャートである。
【図９】この発明が適用されたディジタル衛星放送の受信システムにおける機器の登録の説明に用いるフローチャートである。
【図１０】この発明が適用されたディジタル衛星放送の受信システムにおけるブロアドキャストの説明に用いる略線図である。
【符号の説明】
１・・・ＩＲＤ、３・・・パラボラアンテナ、６・・・テレビジョン受像機、１５Ａ、１５Ｂ、・・・ディジタル機器，４４・・・ＩＥＥＥ１３９４インターフェース
【図１】
0004366741.tif 000002
【図２】
0004366741.tif 000003
【図３】
0004366741.tif 000004
【図４】
0004366741.tif 000005
【図５】
0004366741.tif 000006
【図６】
0004366741.tif 000007
【図７】
0004366741.tif 000008
【図８】
0004366741.tif 000009
【図９】
0004366741.tif 000010
【図１０】
0004366741.tif 000011